(57)【要約】      （修正有）【課題】故人にあった衿をオプションして仏衣の衿部に簡単に装着でき、装着することにより衿元が華やかになり仏衣も豪華に見えるようにした仏衣用おしゃれ衿を提供する。【解決手段】仏衣の衿部の内側に接着される仏衣用おしゃれ衿であって、幅方向中央で２つ折りにした表側布地３と幅方向中央で２つ折りにした裏側布地４とが縫い合わせられ、表側布地３の表面に仏衣の衿部に接着するための両面接着テープ６が設けられている。また、裏側布地４の折り曲げ端部４ａが表側布地３の折り曲げ端部３ａよりも幅方向にやや突出している。【選択図】図１
0003178454.tif 000002
【実用新案登録請求の範囲】
【請求項１】
仏衣（１１）の衿部（１２）の内側に接着される仏衣用おしゃれ衿であって、
幅方向中央で２つ折りにした表側布地（３）と幅方向中央で２つ折りにした裏側布地（４）とが縫い合わせられ、表側布地（３）の表面に仏衣（１１）の衿部（１２）に接着するための両面接着テープ（６）が設けられていることを特徴とする仏衣用おしゃれ衿。
【請求項２】
前記２つ折りにした裏側布地（４）の幅方向の長さは、前記２つ折りにした表側布地（３）の幅方向の長さよりもやや大に設定されており、裏側布地（４）と表側布地（３）とは、裏側布地（４）の折り曲げ端部（４ａ）が表側布地（３）の折り曲げ端部（３ａ）よりも幅方向にやや突出し、かつ折り曲げ端部（３ａ，４ａ）とは反対側の端部同士が一致するように、重合して縫い合わされていることを特徴とする請求項１に記載の仏衣用おしゃれ衿。
【請求項３】
前記表側布地（３）は金襴布地で構成され、裏側布地（４）は綸子布地で構成されていることを特徴とする請求項１又は２に記載の仏衣用おしゃれ衿。
【請求項４】
前記両面接着テープ（６）は、表側布地（３）の表面において長手方向に間隔をおいた複数箇所に設けられていることを特徴とする請求項１〜３のいずれかに記載の仏衣用おしゃれ衿。
【考案の詳細な説明】
【技術分野】
【０００１】
本考案は、仏衣の衿部に装着される仏衣用おしゃれ衿に関するものである。
【背景技術】
【０００２】
今までの仏衣は着物の形で白物が多く、衿部も１重のものが多かった。このため、仏衣のみ装着したとき、衿元が薄くまた白色であったため、衿部に厚みがなく貧弱に見え、寂しい感じになった。
そこで、従来の仏衣には浴衣地の装飾衿を経帷子の衿部の端部から外部へはみ出すように配置するようにしたものがある（例えば特許文献１）。
【先行技術文献】
【特許文献】
【０００３】
【特許文献１】実用新案登録第３１４０５１１号公報
【考案の概要】
【考案が解決しようとする課題】
【０００４】
しかし、上記従来のものは、経帷子は浴衣の上から一体的に縫製されており、経帷子の衿の端部から外部へはみ出るように配置された浴衣地の装飾衿は、浴衣に縫着等によって一体に形成されていると推察され、重ね衿付き仏衣の一種と考えられる。このため、仏衣の衿部について、故人にあった衿（例えばカラー色）を選ぶことができなかった。
本考案は上記問題点に鑑み、故人にあった衿をオプションして仏衣の衿部に簡単に装着でき、装着することにより衿元が華やかになり仏衣も豪華に見えるようにした仏衣用おしゃれ衿を提供することを目的とする。
【課題を解決するための手段】
【０００５】
本考案における課題解決のための具体的手段は、次の通りである。
この技術的課題を解決する本考案の技術的手段は、仏衣１１の衿部１２の内側に接着される仏衣用おしゃれ衿であって、
幅方向中央で２つ折りにした表側布地３と幅方向中央で２つ折りにした裏側布地４とが縫い合わせられ、表側布地３の表面に仏衣１１の衿部１２に接着するための両面接着テープ６が設けられている点にある。
また、本考案の他の技術的手段は、前記２つ折りにした裏側布地４の幅方向の長さは、前記２つ折りにした表側布地３の幅方向の長さよりもやや大に設定されており、裏側布地４と表側布地３とは、裏側布地４の折り曲げ端部４ａが表側布地３の折り曲げ端部３ａよりも幅方向にやや突出し、かつ折り曲げ端部３ａ，４ａとは反対側の端部同士が一致するように、重合して縫い合わされている点にある。
また、本考案の他の技術的手段は、前記表側布地３は金襴布地で構成され、裏側布地４は綸子布地で構成されている点にある。
また、本考案の他の技術的手段は、前記両面接着テープ６は、表側布地３の表面において長手方向に間隔をおいた複数箇所に設けられている点にある。
【考案の効果】
【０００６】
請求項１によれば、仏衣用おしゃれ衿を仏衣の衿部の内側に両面接着テープで簡単に装着することができ、仏衣も引き立ち仏衣の衿元も華やかになる。また、種々の色や形状や大きさの仏衣用おしゃれ衿を用意しておくことにより、仏衣の衿部について、故人にあった衿を選ぶことができるようになる。さらに、仏衣用おしゃれ衿は２つ折りにした表側布地と２つ折りにした裏側布地とが縫い合わせられているので、仏衣の衿部に仏衣用おしゃれ衿を装着することにより、衿元が分厚くなってより一層華やかになる。
請求項２によれば、仏衣用おしゃれ衿自体が２段になった厚みのある華やかで形状が整った洗練されたものとなり、仏衣の衿部に仏衣用おしゃれ衿を装着することにより、もとからある仏衣の衿部と併せて、仏衣の衿が３重に見えるようになり、仏衣も引き立ち、衿元が華やかで美麗なものになる。
請求項３によれば、仏衣用おしゃれ衿を豪華で美麗に形成することができ、仏衣の衿部に仏衣用おしゃれ衿を装着することにより、仏衣もより一層引き立ち、衿元が非常に華やかになる。
請求項４によれば、両面接着テープによって、仏衣用おしゃれ衿が仏衣の衿部に対してずれないように簡単かつ美麗に接着することができ、装着後に仏衣の衿部から仏衣用おしゃれ衿を簡単に取り外すこともでき、仏衣用おしゃれ衿を他の仏衣の衿部に対しても繰り返し使用することが可能になり、便利である。
【図面の簡単な説明】
【０００７】
【図１】本考案の一実施形態を示す仏衣用おしゃれ衿の正面図である。
【図２】同仏衣用おしゃれ衿の背面図である。
【図３】同図１のＡ−Ａ線断面図である。
【図４】同仏衣用おしゃれ衿を制作する前の表側布地構成布及び裏側布地構成布の正面図である。
【図５】同仏衣用おしゃれ衿を仏衣の衿部に装着した状態の正面図である。
【考案を実施するための形態】
【０００８】
以下、本考案の実施の形態を図面に基づいて説明する。
図１〜図５は本考案の一実施形態を示している。図１〜図３において、仏衣用おしゃれ衿１は、仏衣の衿部の内側に接着されるものであって、幅方向中央で２つ折りにした表側布地３と幅方向中央で２つ折りにした裏側布地４とが縫い合わせられ、表側布地３の表面に仏衣の衿部に接着するための両面接着テープ６が設けられている。ここで、仏衣とは、葬式の際等に故人に着せる衣装であり、着物型で白物が多い。
前記表側布地３は、図４に示すように、金襴布地で構成された幅方向の長さＷ１が１０ｃｍで長手方向の長さＬ１が１２０ｃｍの帯状の表側布地構成布Ａを、幅方向中央Ｘで２つ折りにして幅方向の長さが５ｃｍで長手方向の長さが１２０ｃｍの２枚重ね（２層）の帯板状に形成されている。従って、表側布地３はその幅方向一端部に折り曲げ端部３ａを有している。ここで、金襴とは、綾地または繻子地に金糸で文様を織り出した織物をいう。
前記表側布地３を構成するための表側布地構成布Ａはその端縁ａがほつれ止めヒートカットされている。ここで、ほつれ止めヒートカットとは、布地を所定の大きさに切断する際に、切断と同時に繊維を熱で溶かして布地のほつれ止めを同時に行えるようにしたカットである。
前記裏側布地４は、図４に示すように、綸子布地で構成された幅方向の長さＷ２が１１ｃｍで長手方向の長さＬ２が１２０ｃｍの帯状の裏側布地構成布Ｂを、幅方向中央Ｙで２つ折りにして、幅方向の長さが５．５ｃｍで長手方向の長さが１２０ｃｍの２枚重ね（２層）の帯板状に形成されている。従って、裏側布地４はその幅方向一端部に折り曲げ端部４ａを有している。ここで、綸子とは、滑らかで光沢がある絹織物であって、後練りの繻子織りの一種で、紋織りと無地とがある。なお、裏側布地４は、紋織りの綸子布地と無地の綸子布地とのどちらで構成するようにしてもよい。
前記裏側布地４を構成するための裏側布地構成布Ｂは、前記表側布地３を構成するための表側布地構成布Ａの場合と同様に、その端縁ｂがほつれ止めヒートカットされている。
而して、２つ折りにした裏側布地４の幅方向の長さは、２つ折りにした表側布地３の幅方向の長さよりもやや大に（０．５ｃｍ長く）設定されている。裏側布地４と表側布地３とは、裏側布地４の折り曲げ端部４ａが表側布地３の折り曲げ端部３ａよりも幅方向にやや突出（０．５ｃｍ突出）し、かつ、折り曲げ端部３ａ，４ａとは反対側の端部同士が一致するように、互いに重合されて、折り曲げ端部３ａ，４ａとは反対側の端部同士が４枚合わせてミシンで縫い合わされ（図１及び図２に示す縫合７）、これにより、金襴布地で構成された表側布地３と綸子布地で構成された裏側布地４とを備える仏衣用おしゃれ衿１が形成されている。
前記両面接着テープ６は、表側布地３の表面において長手方向に間隔をおいた複数箇所に設けられている。図例では、図１及び図２に示すように、両面接着テープ６が表側布地３の表面に長手方向に略等間隔をおいて５箇所に設けられている。
上記実施形態によれば、仏衣用おしゃれ衿１を仏衣の衿部に装着する場合、図５に示すように、仏衣１１の衿部１２の内側に、表側布地３の表面に設けた両面接着テープ６により仏衣用おしゃれ衿１を接着する。この際に、仏衣１１の衿部１２の幅方向端部から表側布地３の折り曲げ端部３ａがやや突出すると共に、裏側布地４の折り曲げ端部４ａが仏衣１１の衿部１２の幅方向端部からさらに大きく突出するように配置して、仏衣用おしゃれ衿１を両面接着テープ６を利用して接着すればよく、仏衣用おしゃれ衿１を仏衣１１の衿部１２に簡単に装着することができ、このように仏衣１１の衿部１２に仏衣用おしゃれ衿１を装着することにより、もとからある仏衣１１の衿部１２と併せて、仏衣１１の衿が分厚くなって３重に見えるようになる。
従って、本実施形態では、幅方向中央で２つ折りにした表側布地３と幅方向中央で２つ折りにした裏側布地４とが縫い合わせられ、表側布地３の表面に仏衣１１の衿部１２に接着するための両面接着テープ６が設けられているので、仏衣用おしゃれ衿１を仏衣１１の衿部１２の内側に両面接着テープ６で簡単に装着することができ、仏衣１１も引き立ち仏衣１１の衿元も華やかになる。また、種々の色や形状や大きさの仏衣用おしゃれ衿１を用意しておくことにより、仏衣１１の衿部１２について、故人にあった衿を選ぶことができるようになる。さらに、仏衣用おしゃれ衿１は２つ折りにした表側布地３と２つ折りにした裏側布地４とが縫い合わされているので、仏衣１１の衿部１２に仏衣用おしゃれ衿１を装着することにより、衿元が分厚くなってより一層華やかになる。
また、前記２つ折りにした裏側布地４の幅方向の長さは、前記２つ折りにした表側布地３の幅方向の長さよりもやや大に設定されており、裏側布地４と表側布地３とは、裏側布地４の折り曲げ端部３ａが表側布地３の折り曲げ端部３ａよりも幅方向にやや突出し、かつ折り曲げ端部３ａ，４ａとは反対側の端部同士が一致するように、重合して縫い合わされているので、仏衣用おしゃれ衿１自体が２段になった厚みのある華やかで形状が整った洗練されたものとなり、仏衣１１の衿部１２に仏衣用おしゃれ衿１を装着することにより、もとからある仏衣１１の衿部１２と併せて、仏衣１１の衿が３重に見えるようになり、仏衣１１も引き立ち、衿元が華やかで美麗なものになる。
また、表側布地３は金襴布地で構成され、裏側布地４は綸子布地で構成されているので、仏衣用おしゃれ衿１を豪華で美麗に形成することができ、仏衣１１の衿部１２に仏衣用おしゃれ衿１を装着することにより、仏衣１１もより一層引き立ち、衿元が非常に華やかになる。
また、両面接着テープ６は、表側布地３の表面において長手方向に間隔をおいた複数箇所に設けられているので、両面接着テープ６によって、仏衣用おしゃれ衿１が仏衣１１の衿部１２に対してずれないように簡単かつ美麗に接着することができ、装着後に仏衣１１の衿部１２から仏衣用おしゃれ衿１を簡単に取り外すこともでき、仏衣用おしゃれ衿１を他の仏衣の衿部に対しても繰り返し使用することが可能になり、便利である。
なお、前記実施形態では、表側布地３は金襴布地で構成され、裏側布地４は綸子布地で構成されているが、これに代え、表側布地３を綸子布地で構成し、裏側布地４を金襴布地で構成するようにしてもよいし、表側布地３及び裏側布地４を綸子布地又は金襴布地のいずれか一方で構成するようにしてもよい。さらに、表側布地３及び裏側布地４を綸子布地又は金襴布地以外の他の布地で構成するようにしてもよい。また、表側布地３及び裏側布地４に刺繍による模様等を施すようにしてもよい。
また、前記実施形態では、表側布地３の幅方向の長さが５．０ｃｍで長手方向の長さが１２０ｃｍに設定され、裏側布地４の幅方向の長さが５．５ｃｍで長手方向の長さが１２０ｃｍに設定されているが、これらはこのような長さに限定されず、表側布地３及び裏側布地４の幅方向の長さ及び長手方向の長さは、仏衣１１の衿部１２の大きさに対応して適宜設定変更され得る。
また、前記実施形態では、幅方向中央で２つ折りにした表側布地３と幅方向中央で２つ折りにした裏側布地４とを縫い合わせて仏衣用おしゃれ衿１が構成されているが、これに代え、２つ折りにした裏側布地４の裏面側にさらに第２、第３の２つ折りにした裏側布地を縫い合わせるようにしてもよい。
【符号の説明】
【０００９】
１      仏衣用おしゃれ衿
３      表側布地
３ａ    折り曲げ端部
４      裏側布地
４ａ    折り曲げ端部
１１    仏衣
１２    衿部    
【図１】
0003178454.tif 000003
【図２】
0003178454.tif 000004
【図３】
0003178454.tif 000005
【図４】
0003178454.tif 000006
【図５】
0003178454.tif 000007